(57)【要約】【課題】  従来の家具の転倒防止装置は、家具の背板に穿設した細長いネジ挿入孔からネジを通して壁に取り付けた連結材と螺合するものであった。この転倒防止装置は、連結材に保持したナットにネジを螺入する際に、背板に穿設した長穴が細いため、ナットを探すことに手間がかかっていた。本発明は、壁に取り付けた受けレールと家具に取り付けた固定用金具の係合が極めて容易に行える転倒防止装置である。【解決手段】  本発明の転倒防止装置は、壁に長尺の受けレールを取り付け、家具には天板や棚板の下面となる背板に少し大きめの開口を開ける。固定用金具は、侵入部と固定部からなり、侵入部を開口から外部に出し、受けレールの係合面と壁で形成された隙間に侵入させる。そして固定用金具の固定部を天板や棚板の下面に木ネジで固定する。【選択図】図１
2018047195.tif 000002
【特許請求の範囲】
【請求項１】
受けレールは部屋の壁に取り付けることができる取り付け面と部屋の壁に取り付けたときに壁間で隙間を形成させる係合面からなり、固定用金具は家具構成用板材に取り付ける固定部と前記隙間に侵入できる侵入部からなり、侵入部を前記隙間に侵入させるとともに固定部を家具の背板に穿設した開口近傍の家具構成用板材内部に取り付けて受けレールと固定用金具とを係合保持させたことを特徴とする家具の転倒防止装置。
【請求項２】
前記部屋の壁間で隙間を形成させる係合面は、板材が段部を有する段状になっていることを特徴とする請求項１に記載の家具の転倒防止装置。
【請求項３】
前記固定用金具は、水平な家具の天板、棚板のいずれかに取り付けるものであり、二面が直角となったＬ字型であって、Ｌ字型の一方の面はネジ孔が穿設された固定部となっており、もう一方の面は背板の開口から家具裏面の外部に突出させる侵入部となっていることを特徴とする請求項１に記載の家具の転倒防止装置。
【請求項４】
前記固定用金具は、垂直な側板に取り付けるものであり、二面が直交していて、一方の面はネジ孔が穿設された固定部となっており、もう一方の面は背板の開口部から家具裏面の外部に突出させる侵入部となっていることを特徴とする請求項１に記載の家具の転倒防止装置。
【発明の詳細な説明】
【技術分野】
【０００１】  本発明は、地震が発生した際に、家具が転倒するのを防止する装置に関する。
【背景技術】
【０００２】  従来、床面に置かれた家具の転倒を防止するために、部屋の壁や天井面等と家具とをネジやＬ字型金具で連結したり、家具の天板と部屋の天井面との間に突っ張り棒を設置したりするのが一般的である。しかしながら、従来のネジやＬ字型の転倒防止装置は、家具の天板や側板に取り付けていたため、これらが外部から見え、美観を損ねるものとなっていた。また突っ張り棒も家具の天板と部屋の天井面との間に設置するため、美観を損ねるばかりでなく、部屋の天井は強度に弱いことがあり、地震が発生して突っ張り棒に力が掛かると、部屋の天井を突き破ってしまうことがあった。【０００３】  これらの問題を解決する転倒防止装置としては、例えば特許文献１記載の家具に設置した転倒防止装置がある。特許文献１に記載された転倒防止装置は、部屋の壁に連結部材を取り付けるとともに、家具の背板に穴を開け、該穴からネジを挿通して、ネジを連結部材に螺入することにより連結部材と家具とを連結するものである。
【先行技術文献】
【特許文献】
【０００４】
【特許文献１】特開２００８−２３７５４６号公報
【発明の概要】
【発明が解決しよとする課題】
【０００５】  特許文献１に記載された転倒防止装置は、部屋の壁に取り付けた連結部材を家具の天板や側板で完全に覆い隠すため、美観的には優れたものである。この転倒防止装置を設置する家具は、壁と背板間に連結部材を設置できるように、天板と側板が背板よりも壁側に突出したものでなければならない。従って、特許文献１の家具は、特別構造の家具であるため、ここに用いる転倒防止装置は一般に市販されている家具に取り付けることができないものであった。
【０００６】  また特許文献１に記載された転倒防止装置は、連結部材に穿設した横長孔の後部分段部にナットを保持し、家具の背板に穿設した縦長孔から固定ネジを挿通して、ナットに螺入することにより、家具の背板と壁の連結部材とを固定するものである。しかしながら、連結部材に穿設した長孔は、連結部材全長に亘って穿設されたものではないため、家具を連結部材に固定する作業の際、家具の設置位置が当初の計画よりも横方にずれていたり、或いは思っていた設置位置に置いたつもりが、少し横方であったりした場合、連結部材の長孔と背板に穿設した固定ネジ挿通孔とが合致しないことがあった。この時、連結部材の長孔と背板の挿通孔とを合わせようとしても、背板の挿通孔は、固定ネジの頭部を通さないような細いものであるため、この挿通孔から連結部材の長孔を探すのが困難であった。
【０００７】  特許文献１に記載された転倒防止装置は連結部材の横長の連通孔がナットを保持する段部を形成しなければならないため、連結部材はナットの厚さと前部分の厚さを加えた厚さとなることから連結部材は相当厚いものとなっていた。それ故、この転倒防止装置を設置した家具は、天板や側板を背板よりも少し多め突出させて、壁と背板間に連結部材を充分に収納するスペースを作らなければならないという特殊なものであった。
【０００８】  本発明は、このような従来の転倒防止装置が有していた問題を解決しようとするものであり、一般に市販されている家具に少しの加工を施すだけで取り付けができるという転倒防止装置を提供することにある。
【課題を解決するための手段】
【０００９】  ところで家具と壁間の隙間が例え開いていても、それが極僅かであれば、横方から見たときに外観を損なうことがないこと、例えば普通に家具を壁に接触させるようにしても、家具の自然な傾きや家具の寸法誤差等により家具と壁間には僅かな隙間ができることがあるが、このような隙間は全く気にならないものである。そこで転倒防止装置を設置した後に、壁と家具間が普通にできる隙間程度であれば問題がないことから、本発明は、家具を特殊な構造のものでなく一般に市販されている家具に設置できるようにしたものである。
【００１０】  本発明は、受けレールは部屋の壁に取り付けることができる取り付け面と部屋の壁に取り付けたときに壁間で隙間を形成させる係合面からなり、固定用金具は家具構成用板材に取り付ける固定部と前記隙間に侵入できる侵入部からなり、侵入部を前記隙間に侵入させるとともに固定部を家具の背板に穿設した開口近傍の家具構成用板材内部に取り付けて受けレールと固定用金具とを係合保持させたことを特徴とする家具の転倒防止装置である。
【発明の効果】
【００１１】  本発明によれば、受けレールは地震発生時に固定用金具との係合において、充分耐えられる程度の薄い金属板でよいため、受けレールを部屋の壁に取り付けたときに、受けレールが壁と家具を構成用板材である天板、背板、側板等に挟まれても、壁とこれら家具構成用板材間でできる隙間がごく僅かとなる。従って、本発明の家具用転倒防止装置は、取り付け後、隙間については奇異に映ることがなく、また隙間へのゴミやホコリの侵入も普通に家具を壁際に設置したときと同程度である。
【００１２】  また本発明の転倒防止装置は、固定用金具を家具内部の構成用板材に固定するものであり、固定用金具が外部から全く見えないことから、美観的にも優れたものである。
【００１３】  さらにまた本発明の転倒防止装置は、固定用金具を家具の背板に穿設した開口近傍に固定するため、固定用金具と受けレールとの係合作業時に部屋の壁に取り付けた受けレールが開口から良く見える。それ故、部屋の壁に取り付けた受けレールの係合面に固定用金具の侵入部を侵入させるときに、容易に、しかも完全に、この作業を行うことができる。
【図面の簡単な説明】
【００１４】
【図１】本発明の転倒防止装置を部屋の壁と家具に取り付けた状態の部分拡大側面断面図
【図２】本発明の転倒防止装置の分解斜視図
【図３】本発明の転倒防止装置に使用する固定用金具の拡大斜視図
【図４】本発明の転倒防止装置を取り付ける家具を正面から見た斜視図
【図５】本発明の転倒防止装置の受けレールを取り付けた部屋の斜視図
【図６】本発明の転倒防止装置における固定用金具の他の実施例
【図７】本発明の他の実施例の転倒防止装置を部屋の壁と家具に取り付けた状態の部分拡大側面断面図
【発明を実施するための形態】
【００１５】  以下、本発明の実施の形態を図に基づいて説明する。
【００１６】  本発明の転倒防止装置は、受けレール１０と固定用金具２０から構成されている。
【００１７】  受けレール１０は、部屋の壁と家具の間に設置したときに、壁と家具間の隙間をなるべく小さくするため、薄くても充分な強度を有する長尺の金属板で成形することが望ましい。長尺の金属板は、図２に示すように、段部１１があるように折り曲げて段状に形成してある。段部１１の上部は、取り付け面１２となっており、ここには複数のネジ挿入孔１３・・・が穿設されている。そして段部１１の下部は係合面１４となっている。段部１１の幅Ｗは、後述固定用金具の侵入部厚さｗと同一か、或いは極僅か広くなっている。
【００１８】  受けレール１０は、長尺であるが、使用時には家具の横幅に合わせて切断し、複数の固定用金具に対して一本の受けレールで対応するようにしてもよいし、或いは固定用金具を少し短めに切断してそれぞれ複数の固定用金具に対応するようにしてもよい。
【００１９】  固定用金具２０は、図１、２、３に示すように、二面が直角に形成されたＬ字型である。Ｌ字型固定用金具の一方の面は固定部２１であり、ここには長手方向に伸びた長孔（ネジ孔）２２が穿設されている。Ｌ字型固定用金具のもう一方の面は、侵入部２３である。侵入部２３の高さｈは、前述受けレール１０の係合面１４の内側の高さＨと略同一となっている。
【００２０】  本発明の転倒防止装置を設置する家具３０は、図４に示すように、上部にある天板３１、下部にある床板３２、家具の中程に架設された棚板３３、天板３１と床板３２の両側に立設した一対の側板３４、３４、および家具の背面にある背板３５等から構成されている。勿論、図示していないが、正面には扉が設置されている。
【００２１】  家具３０の背板３４の適宜箇所に開口３６・・・が開けられている。図４に示す家具において開口３６が開けられた箇所は、天板３１の真下の両隅と棚板３３の真下の両隅であり、該開口は上部が天板３１や棚板３３の下面が露出した状態に開けられている。天板や棚板の下面を露出させるのは、天板や棚板の下面に固定用金具２０の固定部２１をネジで取り付けたときに、開口上部に背板が出ていると、この出た背板に固定用金具の固定部が当たって、固定用金具の固定部を天板や棚板の下面に密着させることができなくなり、固定用金具が前下がりのように傾斜してしまい、固定用金具の侵入部が受けレールの係合面に対して平行に侵入できなくなるからである。
【００２２】  開口３６の大きさは、固定用金具の侵入部が容易に通過できる大きさでなければならない。つまり開口３６は、縦幅が固定用金具２０の侵入部２３の高さｈよりも大きく、また横幅が固定用金具２０の侵入部２０の横幅ｙよりも大きいものでなければならないが、固定用金具を家具の板材に取り付けるときに該開口から部屋の壁に取り付けられている受けレールが良く見えるように、少し大きめにすることが望ましい。この開口からは、家具を壁に置いたときに、壁に取り付けた受けレールの係合面と壁で形成される隙間を容易に見ることができる。
【００２３】  背板に開ける開口は、家具の天板と棚板の下面に開けてもよいが、棚板のない家具や棚板がダボの上に置かれて固定されていない家具では、天板の下面だけでもよい。また開口は、一箇所だけでもよいし、複数箇所に開けてもよい。
【００２４】  次に上記構成からなる本発明の転倒防止装置の取り付けについて説明する。
【００２５】  先ず、図４に示すように、家具３０の背板３３に開口３６を開ける。開口３６は天板３１と棚板３３の下面であり、該下面が完全に露出するようにしてある。
【００２６】  次に、受けレール１０を部屋の壁Ｋに取り付けるが、このとき受けレール１０は、前記背板３３の開口３６の上部と受けレール１０の係合面１４の下縁が一致するようにする。受けレールを部屋の壁Ｋに取り付けるとき、壁が石膏ボードやベニヤ板でできている場合、これらに対して木ネジは効かない。そこで壁が石膏ボードやベニヤ板である場合は、図５に示すように、予め壁内の芯材の位置を確かめておき、受けレールのネジ挿入孔１３から木ネジを通して芯材に木ネジを螺入させ、受けレールを部屋の壁に固定する。
【００２７】  受けレール１０が所定の位置に取り付けられたならば、家具を受けレール１０に接するようにして置く。その後、家具の背板３５に開けた開口３６から固定用金具２０の侵入部２３を通して、該侵入部を受けレール１０の係合面１４と壁Ｋの間にできた隙間に侵入させる。そして固定用金具２０の侵入部２３を前記隙間に侵入させた後、固定用金具２０の固定部２１に穿設した長孔２２に木ネジを通して天板３１や棚板３３に螺入し、固定用金具を天板や棚板に固定する。
【００２８】  なお実施例では、固定用金具を水平な家具の構成板材である天板と棚板に取り付けるもので説明したが、本発明では、家具の垂直材である側板に取り付けることもできる。それには図６に示す固定用金具を使用する。
【００２９】  図６に示す固定用金具２５は、垂直な側板に取り付けるものであり、二面が直交している。つまり一方の面の固定部２６ともう一方の面の侵入部２７が直交しているものである。そして侵入部２７は上下に突出している。侵入部を上下に突出させたのは、固定用金具２５を上下に引っくり返すことにより、固定部２６が左右に変わるため、左右にある側板のどちらにも使用できるからである。固定部２６には長孔（ネジ孔）２８が穿設されている。
【００３０】  ここで上記固定用金具２５を用いた家具と壁への取り付けについて説明する。
【００３１】  図７に示すように、先ず、家具の側板３４に接するようにして、家具の背板３５に開口３７を開ける。その後、背板に開口を開けた家具を部屋の壁際に置き、開口と一致した位置を確認してから家具を移動させ、開口位置となる壁に受けレール１０を取り付ける。そして再度、家具を元の位置に戻し、開口３７から固定用金具２５の侵入部２７を通して、開口３７に現れている受けレール１０の係合面１４で形成される壁Ｋとの隙間に侵入部２７を侵入させる。侵入部２７を受けレール１０の係合面１４の隙間に侵入させた後、長孔２８から木ネジを通して側板３４に螺入し、固定用金具２５を側板に固定する。
【００３２】  図６の固定用金具を用いた転倒防止装置は、固定用金具を背板に近い側板に取り付けることができるため、固定用金具は天板や棚板の下面でなく、如何なる上下の位置にも取り付け可能である。そのため、特許文献１のような家具、即ち家具を部屋の壁に接触させて置いたときに、壁と背板の間に隙間ができるような家具において、受けレールをこの隙間のある壁に取り付ければ、受けレールが家具の天板に挟まれなくなるため、壁と家具間の隙間を完全になくすことができる。
【００３３】  以上説明したように本発明の転倒防止装置は、壁に取り付けられた受けレールと、家具の天板や棚板に強固に取り付けられた固定用金具が係合するため、地震が発生しても、家具は容易に転倒することはない。また本発明の転倒防止装置は、背板に開口を穿設してあることから、受けレールで形成される隙間が良く見え、取り付け作業が容易となるものである。
【００３４】  また本発明の転倒防止装置は、家具を移動させるときにも、固定用金具を取り付けたネジを回動するだけで固定用金具の取り外しが簡単に行えるものである。
【符号の説明】
【００３５】１０  受けレール
１１  段部
１２  取り付け面
１３  ネジ挿入孔
１４  係合面
２０  固定用金具
２１  固定部
２２  長孔
２３  侵入部
２５  固定用金具
２６  固定部
２７  侵入部
２８  長孔
３０  家具
３１  天板
３２  床板
３３  棚板
３４  側板
３５  背板
３６  開口
３７  開口
【図１】
2018047195.tif 000003
【図２】
2018047195.tif 000004
【図３】
2018047195.tif 000005
【図４】
2018047195.tif 000006
【図５】
2018047195.tif 000007
【図６】
2018047195.tif 000008
【図７】
2018047195.tif 000009